(57)【要約】【課題】冷却器の流れを最小化し、空間の集積度を高めることができるバッテリーシステムを提供する。【解決手段】本発明のバッテリーシステムは、空気の出入りが遮断されバッテリーパックが内蔵されて吸入口と吐出口が形成された密閉型のハウジングと、ハウジングと離隔して配置され、乗客が搭乗する空間と分離した別途の車内空間に設置され、吸入口及び吐出口と吸入ダクト及び吐出ダクトを通じて連結され、送風ファンが備えられてハウジングの空気を循環させる密閉型の空調器と、空調器の空気循環流路上に設けられ、循環する空気を冷却又は加熱する熱電素子と、を含んで構成される。【選択図】図１
2014053275.tif 000002
【特許請求の範囲】
【請求項１】
空気の出入りが遮断されバッテリーパックが内蔵されて吸入口と吐出口が形成された密閉型のハウジングと、
前記ハウジングと離隔して配置され、乗客が搭乗する空間と分離した別途の車内空間に設置され、前記吸入口及び吐出口と吸入ダクト及び吐出ダクトを通じて連結され、送風ファンが備えられてハウジングの空気を循環させる密閉型の空調器と、
前記空調器の空気循環流路上に設けられ、循環する空気を冷却又は加熱する熱電素子と、を含むことを特徴とするバッテリーシステム。
【請求項２】
前記ハウジングは、車両のフロア側に設置され、前記空調器はトランク側に設置されることを特徴とする請求項１に記載のバッテリーシステム。
【請求項３】
前記ハウジングは、吸入口がハウジングの下部に形成されて空気が流入し、吐出口がハウジングの上部に形成されて空気が吐出されることを特徴とする請求項１に記載のバッテリーシステム。
【請求項４】
前記送風ファンは、中央で空気を吸入し、側方で空気を吐出するラジアル式ファンであることを特徴とする請求項１に記載のバッテリーシステム。
【請求項５】
前記空調器は、吸入ダクト、吐出ダクト及び送風ファンからなる複数の空調器セットで構成され、熱電素子は、各空調器セットの空気流路上に設けられることを特徴とする請求項１に記載のバッテリーシステム。
【請求項６】
前記ハウジング、吸入ダクト、吐出ダクト及び空調器は、外部と空気が遮断され閉流路を形成することを特徴とする請求項１に記載のバッテリーシステム。
【請求項７】
前記熱電素子は、吸入ダクト又は吐出ダクトに埋め込まれることを特徴とする請求項１に記載のバッテリーシステム。
【請求項８】
前記空調器は、吸入ダクト及び送風ファンからなる複数の空調器セットで構成され、吐出ダクトから分割された分割ダクトがそれぞれの送風ファンと連結し、前記熱電素子は、各空調器セットの空気流路上に設けられたことを特徴とする請求項１に記載のバッテリーシステム。
【請求項９】
前記熱電素子は、それぞれの吸入ダクトに埋め込まれることを特徴とする請求項８に記載のバッテリーシステム。
【請求項１０】
前記ハウジングのバッテリーパックは、複数の列をなすように配置され、前記吐出ダクトと連結する吐出口には、前記ハウジングでそれぞれのバッテリーパック列に対応する位置に、バッテリーパック列と吐出口を連結する連結ダクトが設けられることを特徴とする請求項９に記載のバッテリーシステム。
【請求項１１】
前記連結ダクトは、一端が吐出口と連結して他端が分岐してそれぞれのバッテリーパック列と連結し、各バッテリーパックは、前後方向に空気が流通する構造であることを特徴とする請求項１０に記載のバッテリーシステム。
【発明の詳細な説明】
【技術分野】
【０００１】
本発明は、バッテリーシステムに係り、より詳しくは、車両のバッテリーの冷却又は暖房の効率を高めることができるバッテリーシステムに関する。
【背景技術】
【０００２】
最近、環境問題に対応して、多くの産業分野で内燃機関を電気機関で代替することが行なわれている。電気機関での燃料の役割はバッテリーが受け持つことになるが、車両の場合、燃費や耐久性の面から電気自動車及びハイブリッドカーのバッテリーの温度を上昇又は冷却して、バッテリーの状態を最適に維持する必要がある。
【０００３】
従来のバッテリー冷暖房技術の大部分は、バッテリーを冷却するため、車両内部又は外部の空気を吸入し、バッテリー内での対流による冷却を行なっている。このような冷却と暖房を同時に行なうバッテリー冷暖房構造は、バッテリーハウジングの内部にはバッテリーパックと他の電気装置が多数備えられているので、熱交換のための空気流路がバッテリーパック内部を流動できるように、吸入部と出口部に別途のダクトを備える必要があった。また、バッテリーパック周辺でもｆｌｏｗ  ｃｈａｎｎｅｌが構成されて空気の流路を制限するので、設計空間の制約があり効率的な冷房構造を行なうことができない。
【０００４】
特許文献１の「ラジアルファンを含んだバッテリーパック」の場合、バッテリーパックの冷却のため、内部にラジアルファンを設置し、冷却空気の流入及び流出方向と、数個のバッテリーセル（ｃｅｌｌ）の間を通過する冷却空気の方向が垂直になるように構成する。これによりバッテリーパックの冷却流路をより効率的に設計することができる。しかしながら、この構造であっても別途の冷却のためのチャンネルとダクトを備えなければならないので、効果的な空間の活用が劣り、冷却路の流れが長く、冷却損失が発生するとの問題があった。
【０００５】
また、大部分のバッテリーと空調装置を車両の一地点に設置するので、複数の部分に分けて設置をしても、空調部分のファンが搭乗者の後席に位置するものとなって、騷音が大きいとの問題があった。
【先行技術文献】
【特許文献】
【０００６】
【特許文献１】ＫＲ１０−２０１２−００６９２７４Ａ
【発明の概要】
【発明が解決しようとする課題】
【０００７】
本発明は、このような問題点を解決するためになされたものであって、本発明の目的は、冷却器の流れを最小化し、空間の集積度を高め、空間の活用度を最大に高めることができるバッテリーシステムを提供することにある。
【課題を解決するための手段】
【０００８】
上記の目的を達成するための本発明によるバッテリーシステムは、空気の出入りが遮断されバッテリーパックが内蔵されて吸入口と吐出口が形成された密閉型のハウジングと、前記ハウジングと離隔して配置され、乗客が搭乗する空間と分離した別途の車内空間に設置され、前記吸入口及び吐出口と吸入ダクト及び吐出ダクトを通じて連結され、送風ファンが備えられてハウジングの空気を循環させる密閉型の空調器と、前記空調器の空気循環流路上に設けられ、循環する空気を冷却又は加熱する熱電素子と、を含むことを特徴とする。
【０００９】
前記ハウジングは、車両のフロア側に設置され、前記空調器はトランク側に設置されることが好ましい。
【００１０】
前記ハウジングは、吸入口がハウジングの下部に形成されて空気が流入し、吐出口がハウジングの上部に形成されて空気が吐出されることが好ましい。
【００１１】
前記送風ファンは、中央で空気を吸入し、側方で空気を吐出するラジアル式ファンであることが好ましい。
【００１２】
前記空調器は、吸入ダクト、吐出ダクト及び送風ファンからなる複数の空調器セットで構成され、熱電素子は、各空調器セットの空気流路上に設けられることが好ましい。
【００１３】
前記ハウジング、吸入ダクト、吐出ダクト及び空調器は、外部と空気が遮断され閉流路を形成することが好ましい。
【００１４】
前記熱電素子は、吸入ダクト又は吐出ダクトに埋め込まれることが好ましい。
【００１５】
前記空調器は、吸入ダクト及び送風ファンからなる複数の空調器セットで構成され、吐出ダクトから分割された分割ダクトがそれぞれの送風ファンと連結し、前記熱電素子は、各空調器セットの空気流路上に設けられたことが好ましい。
【００１６】
前記熱電素子は、それぞれの吸入ダクトに埋め込まれることが好ましい。
【００１７】
前記ハウジングのバッテリーパックは、複数の列をなすように配置され、前記吐出ダクトと連結する吐出口には、前記ハウジングでそれぞれのバッテリーパック列に対応する位置に、バッテリーパック列と吐出口を連結する連結ダクトが設けられることが好ましい。
【００１８】
前記連結ダクトは、一端が吐出口と連結して他端が分岐してそれぞれのバッテリーパック列と連結し、各バッテリーパックは、前後方向に空気が流通する構造であることが好ましい。
【発明の効果】
【００１９】
本発明のバッテリーシステムによれば、バッテリーハウジングとブロアーが分離されるので、騷音が減少し、また、冷暖房のための空間と部品を顕著に減少させることができる。
【００２０】
また、閉流路によって最小限の冷却気流の流れを達成し、冷却効率の低下を防止することができる。
【図面の簡単な説明】
【００２１】
【図１】本発明によるバッテリーシステムの斜視図である。
【図２】本発明によるバッテリーシステムの側面図である。
【図３】本発明によるバッテリーシステムの平断面図である。
【発明を実施するための形態】
【００２２】
以下、添付の図面を参照して、本発明によるバッテリーシステムの実施例を詳しく説明する。
【実施例】
【００２３】
図１〜３は、本発明によるバッテリーシステムの構成図で、図１はバッテリーシステムの斜視図、図２はバッテリーシステムの側面図であり、図３はバッテリーシステムの平断面図である。
【００２４】
本発明のバッテリーシステムは、空気の出入りが遮断されバッテリーパック７００が内蔵され、吸入口１２０と吐出口１４０が形成された密閉型のハウジング１００と、ハウジング１００と離隔して配置され、乗客が搭乗する空間と分離した別途の車内空間に設置されて、吸入口１２０及び吐出口１４０と吸入ダクト２２０及び吐出ダクト２４０を通じて連結され、送風ファン３２０が備えられてハウジング１００の空気を循環させる密閉型の空調器３００と、密閉型の空調器３００の空気循環流路上に設けられ、循環する空気を冷却又は加熱する熱電素子５００と、を含んで構成される。
【００２５】
このバッテリーシステムは、バッテリーパック７００が内蔵されるハウジング１００と空調器３００の位置を空間的に離隔してバッテリーの性能を保障すると同時に、騷音等の問題を根本的に解決している。また、密閉型に設計することにより閉流路を形成して空調効率を高めている。
【００２６】
ハウジング１００は、空気の出入りが遮断されバッテリーパック７００が内蔵され、吸入口１２０と吐出口１４０が形成された密閉型であって、ハウジング１００は車両のフロアＦ側に設置され、空調器３００はトランクＴ側に設置されることが好ましい。バッテリーは比較的広い空間を必要とするので、車両の後席の下に安全に設置することにより車両の重さの中心を合わせ、空調器３００の場合、送風ファン３２０の騷音問題上これをトランクＴ側に分離することが好ましい。また、分離によって空間の設計が容易になる。ハウジング１００は、フロアＦ側のトリムやパネルに固定が可能で、空調器３００はトランクＴ側のルーム内部や下部に設置が可能である。そして、空調器３００がトランクＴの空間に設置されることにより、熱電素子５００の作動のための廃熱交換にさらに有利にする。
【００２７】
ハウジング１００は、吸入口１２０がハウジング１００の下部に形成されて空気が流入し、吐出口１４０がハウジング１００の上部に形成されて空気が吐出される。また、送風ファン３２０は、中央で空気を吸入し側方で空気を吐出するラジアル式ファンで形成することにより、上下に区分された吸気と排気の位置によって少ない空間でも最適に送風ファン３２０を設置することができる。
【００２８】
空調器３００は、吸入ダクト２２０、吐出ダクト２４０及び送風ファン３２０からなる複数のセットＡ、Ｂから構成される。熱電素子５００は、各空調器セットＡ、Ｂの空気流路上に設けることができる。熱電素子５００は、吸入ダクト２２０又は吐出ダクト２４０に埋め込むことができる。
【００２９】
具体的には、空調器３００は、吸入ダクト２２０及び送風ファン３２０からなる複数のセットＡ、Ｂで構成され、吐出ダクト２４０から分割された分割ダクト２４１、２４２がそれぞれの送風ファン３２０と連結する。熱電素子５００は、各空調器セットＡ、Ｂの空気流路上に設けられる。熱電素子５００は、それぞれの吸入ダクト２２０に埋め込まれる。
【００３０】
このような構成によって、ハウジング１００、吸入ダクト２２０、吐出ダクト２４０及び空調器３００は、外部との空気が遮断され、閉流路を形成する。
【００３１】
空調器の送風ファン３２０は、複数が設けられており、一側が故障しても他側のみで運転が可能とし、これに合わせて熱電素子５００を複数設けて、一側が故障しても他側で運転し、バッテリーを保護している。また、各送風ファン３２０と熱電素子５００をセットＡ、Ｂで構成し、独立に制御する場合、冷房空調がさらに効果的となり、システムの安定に寄与することができる。
【００３２】
一方、密閉型のハウジング１００のバッテリーパック７００は、複数の列Ｃ、Ｄをなすように配置され、吐出ダクト２４０と連結する吐出口１４０には、ハウジング１００でそれぞれのバッテリーパック列Ｃ、Ｄに対応する位置に、バッテリーパック列Ｃ、Ｄと吐出口１４０を連結する連結ダクト６００が設けられる。
【００３３】
具体的には、連結ダクト６００は、一端が吐出口１４０と連結し、他端が分岐してそれぞれのバッテリーパック列Ｃ、Ｄと連結し、各バッテリーパック７００は前後方向に空気が流通する構造である。
【００３４】
このような構成では、送風ファン３２０から吹き出た空気は、熱電素子５００によって空調された後、空調された空気はそれぞれ吸入ダクト２２０と吸入口１２０を通じてバッテリーパック列Ｃ、Ｄの間又はバッテリーパック列Ｃ、Ｄとハウジング１００の内壁の間を通って後方に回っていき、後方のバッテリーパック７００に流入する。
【００３５】
バッテリーパック７００は、内部を空気が前後方向に貫通する構造で、空調された空気はバッテリーパック列Ｃ、Ｄを貫通して熱交換する。そして熱交換された空気は、再び前端から連結ダクト６００を通じて吐出口１４０に集められ、吐出ダクト２４０を通じて再び送風ファン３２０に集められる。これによって空調された空気を効果的にバッテリーパック７００に供給し、空調された空気がハウジング１００を囲むようにすることによりハウジング１００内部を全体的に空調された雰囲気にすることができる。そして熱交換された空気は漏れなく送風ファン３２０に集められ、熱電素子５００で空調されてより空調効率が上昇する。
【００３６】
また、吸入ダクト２２０及び吐出ダクト２４０は、断熱材で形成される。空気の移動時、閉流路を通じて移動するので、ダクトを断熱の材質を付加して形成する場合、移動する過程での熱損失を最小化することができる。
【００３７】
上述したような構造からなるバッテリーシステムによれば、バッテリーハウジングとブロアーが分離されて騷音を減らし、冷暖房のための空間と部品が顕著に減る効果を奏することができる。また、閉流路によって最小限の冷却気流の流れを達成し、冷却効率の低下を防止することができる。
【００３８】
すなわち、本発明のバッテリーシステムは、バッテリーパックが内蔵されるハウジングと空調器の位置を空間的に離隔してバッテリーの性能を保障すると同時に、騷音等の問題を根本的に解決することができ、また、密閉型に設計することにより閉流路を形成して空調効率を高めることができる。
【００３９】
なお、本発明は、本実施例に限られるものではなく多様な改良が可能である。
【産業上の利用可能性】
【００４０】
本発明は、騷音を減少させ、冷暖房のための空間と部品を著しく減少させることができるバッテリーシステムとして好適である。
【符号の説明】
【００４１】
１００    ハウジング
２２０    吸入ダクト
２４０    吐出ダクト
３００    空調器
５００    熱電素子
７００    バッテリーパック
Ｆ    フロア
Ｔ    トランク
【図１】
2014053275.tif 000003
【図２】
2014053275.tif 000004
【図３】
2014053275.tif 000005